(57)【要約】【課題】直接入浴が行われる場合において、家庭用浴槽に近い外観を有すると共に浴槽の長手方向の一端部または他端部のどちら側からでも着座可能にする。【解決手段】搬送車入浴と直接入浴とを共に可能にする入浴装置であって、平面視矩形形状に形成され、その長手方向の一端部に直接入浴を行う入浴者が着座可能な第一の着座部を有した浴槽２と、浴槽２の長手方向の他端部であって浴槽２内に設けられ、搬送車入浴を行う入浴者を搭載部と共に浴槽２内へ移動させるための移動機構とを備える。直接入浴が行われる場合、浴槽２の他端部には直接入浴を行う入浴者が着座可能な第二の着座部が形成されると共に、移動機構は第二の着座部で覆われる。【選択図】図１１
2019111429.tif 000002
【特許請求の範囲】
【請求項１】
入浴者が搬送車の搭載部に座った状態のままで入浴する搬送車入浴と、入浴者が搬送車を用いることなく入浴する直接入浴と、を共に可能にする入浴装置であって、
平面視矩形形状に形成され、その長手方向の一端部に前記直接入浴を行う入浴者が着座することが可能な第一の着座部を有した浴槽と、
前記浴槽の長手方向の他端部であって前記浴槽内に設けられ、前記搬送車入浴を行う入浴者を前記搭載部と共に前記浴槽内へ移動させるための移動機構と、
を備え、
前記直接入浴が行われる場合、前記浴槽の他端部には前記直接入浴を行う入浴者が着座することが可能な第二の着座部が形成されると共に、前記移動機構は前記第二の着座部によって覆われる、
ことを特徴とする入浴装置。
【請求項２】
前記移動機構は、
前記搬送車の前記搭載部が載置される載置部と、
前記載置部を水平に保持した状態で前記浴槽の他端部から前記浴槽内へ移動させる機構と、を備える、
ことを特徴とする請求項１に記載の入浴装置。
【請求項３】
前記載置部を水平に保持した状態で前記浴槽の他端部から前記浴槽内へ移動させる機構は、リンク機構である、
ことを特徴とする請求項２に記載の入浴装置。
【請求項４】
前記第二の着座部は、
前記載置部を覆って保護するための第一の保護部分と、
前記機構を覆って保護するための第二の保護部分と、を有し、
前記第一の保護部分は、直接入浴を行う入浴者が着座可能に前記浴槽の他端部上を覆うように形成され、
前記第二の保護部分は、前記浴槽内に臨むように前記第一の保護部分に対して下方に立設され、前記直接入浴を行う入浴者が前記浴槽内で該第二の保護部分に背凭れ可能になっている、
ことを特徴とする請求項２または３に記載の入浴装置。
【請求項５】
前記第一の保護部分には、
前記直接入浴を行う入浴者が前記浴槽内に移動するときに把持するための把持部が設けられている、
ことを特徴とする請求項４に記載の入浴装置。
【請求項６】
前記第二の保護部分には、
前記直接入浴を行う入浴者を前記浴槽内で固定する固定部材が取り付け可能である、
ことを特徴とする請求項４または５に記載の入浴装置。
【請求項７】
前記第二の着座部が、
前記浴槽および／または前記載置部に対して固定可能である、
ことを特徴とする請求項４に記載の入浴装置。
【請求項８】
前記第二の着座部は、回転式であり、前記搬送車入浴時には前記浴槽の後方側に回転可能であり、直接入浴時には所定の位置に設置可能である、
ことを特徴とする請求項１ないし７のいずれかに記載の入浴装置。
【発明の詳細な説明】
【技術分野】
【０００１】
本発明は、介護老人や病人、その他の入浴者（以下、入浴者という）の搬送車入浴と直接入浴とが可能な入浴装置に関するものである。
【背景技術】
【０００２】
従来から、入浴者が搬送車の座部に座った状態のまま入浴する搬送車入浴と、入浴者が搬送車を用いることなく入浴する直接入浴とが知られている(特許文献１参照)。
【０００３】
この種の入浴装置として、平面視矩形形状に形成され、かつ、その長手方向の一端部に直接入浴を行う入浴者が着座可能な着座部を有した浴槽と、この浴槽の長手方向の他端部に併設され、搬送車入浴を行う入浴者を浴槽内へ移動させるための移動機構と、を備えた入浴装置がある。
【０００４】
搬送車入浴が行われる場合、入浴者は搬送車に乗せられて移動機構まで移動された後、搬送車の座部が移動機構に連結されて、入浴者はこの座部と共に浴槽内へ移動されて入浴する。
【０００５】
一方、直接入浴が行われる場合、入浴者は浴槽の着座部に着座した状態でこの浴槽の縁部を跨いで浴槽内へ移動して入浴する。
【先行技術文献】
【特許文献】
【０００６】
【特許文献１】特開２０１４−２３９６６号公報
【発明の概要】
【発明が解決しようとする課題】
【０００７】
しかしながら、上記のような入浴装置においては、移動機構は浴槽に比べてある程度高さを有し、かつ、このような移動機構が浴槽とは別個に設けられているので、一般家庭内で用いられている浴槽とは外観がかなり異なっている。
【０００８】
直接入浴を行う入浴者からは、一般家庭と同じような雰囲気下で入浴したいという要望があり、このような要望を持つ入浴者には上記のような入浴装置の外観が嫌われることがあった。
【０００９】
また、上記のような入浴装置においては、直接入浴を行う入浴者が浴槽の他端部側から入浴しようとする場合、移動機構が邪魔となって浴槽の他端部上に着座して浴槽内へ移動することができなかった。
【００１０】
例えば、体の右半分または左半分に麻痺を有した者は、麻痺していない方の体を浴槽の一端部または他端部上に乗せて浴槽内を移動しなければならないので、上記のように一端部側からしか入浴できないと、直接入浴を行えないことがあった。
【００１１】
本発明は、上述の課題を解決するためになされたものであり、搬送車入浴と直接入浴とを共に可能にする入浴装置において、直接入浴が行われる場合において、一般家庭内で用いられる浴槽に近い外観を有すると共に浴槽の長手方向の一端部または他端部のどちら側からでも着座して浴槽内へ移動することができる入浴装置を提供することを目的としている。
【課題を解決するための手段】
【００１２】
(１)上述の課題を解決するため、本発明に係る入浴装置は、入浴者が搬送車の搭載部に座った状態のままで入浴する搬送車入浴と、入浴者が搬送車を用いることなく入浴する直接入浴と、を共に可能にする入浴装置であって、
平面視矩形形状に形成され、その長手方向の一端部に前記直接入浴を行う入浴者が着座することが可能な第一の着座部を有した浴槽と、
前記浴槽の長手方向の他端部であって前記浴槽内に設けられ、前記搬送車入浴を行う入浴者を前記搭載部と共に前記浴槽内へ移動させるための移動機構と、
を備え、
前記直接入浴が行われる場合、前記浴槽の他端部には前記直接入浴を行う入浴者が着座することが可能な第二の着座部が形成されると共に、前記移動機構は前記第二の着座部によって覆われる、ことを特徴とする。
【００１３】
本発明の構成によれば、移動機構は浴槽外部に併設されることなく浴槽の他端部に設けられており、しかも、直接入浴が行われる場合、この移動機構は第二の着座部で覆われて外観上見えなくなるので、一般家庭内で用いられる浴槽と外観を近くすることができる。また、直接入浴を行う入浴者は第一の着座部および第二の着座部のどちらにも着座することができるので、浴槽の長手方向の一端部または他端部のどちら側からでも着座して浴槽内に移動することができる。
【００１４】
(２)本発明において、好ましい実施態様では、前記移動機構は、前記搬送車の搭載部が載置される載置部と、前記載置部を水平に保持した状態で前記浴槽の他端部から前記浴槽内へ移動させる機構と、を備える。この機構は、リンク機構であるのが更に好ましい。
【００１５】
この実施態様の構成によれば、直接入浴が行われる場合、載置部が機構によって浴槽内から浴槽の他端部に水平を維持した状態で移動されて、載置部が浴槽内に取り残されて直接入浴の邪魔になることがなくなるので、浴槽内を最大限広く使用することができる。この構成において上記機構をリンク機構とすれば、載置部がリンク機構によって浴槽内から浴槽の他端部に水平を維持した状態で円弧状に回動されるので、上述した作用効果がさらに向上する。
【００１６】
(３)本発明において、別の好ましい実施態様では、前記第二の着座部は、前記載置部を覆って保護するための第一の保護部分と、前記機構を覆って保護するための第二の保護部分と、を有し、前記第一の保護部分は、直接入浴を行う入浴者が着座可能に前記浴槽の他端部上を覆うように形成され、前記第二の保護部分は、前記浴槽内に臨むように前記第一の保護部分に対して下方に立設され、前記直接入浴を行う入浴者が前記浴槽内で該第二の保護部分に背凭れ可能になっている。
【００１７】
この実施態様の構成によれば、第一の保護部分によって載置部を覆って外観上見えなくすることができると共に直接入浴を行う入浴者がこの第一の保護部分に着座することができる。また、第二の保護部分によって機構を覆って外観上見えなくすることができると共に直接入浴を行う入浴者がこの第二の保護部分に凭れ掛かって快適に入浴することができる。
【００１８】
(４)本発明において、別の好ましい実施態様では、前記第一の保護部分には、前記直接入浴を行う入浴者が前記浴槽内に移動するときに把持するための把持部が設けられている。
【００１９】
この実施態様の構成によれば、直接入浴を行う入浴者が把持部を把持して浴槽へ移動するときの姿勢を安定させることができるので、安全に直接入浴を行うことができる。
【００２０】
(５)本発明において、別の好ましい実施態様では、前記第二の保護部分には、前記直接入浴を行う入浴者を前記浴槽内で固定する固定部材が取り付け可能である。
【００２１】
この実施態様の構成によれば、取り付け穴に取り付けられた固定部材によって直接入浴を行う入浴者を浴槽内で安全な姿勢に固定することができるので、直接入浴を行う入浴者の浴槽内での水没事故を起こり難くすることができる。
【００２２】
(６)本発明において、別の好ましい実施態様では、前記第二の着座部が、前記浴槽または前記載置部に対して固定可能である。
【００２３】
この実施態様の構成によれば、第二の着座部が樹脂製の比較的軽量な素材で形成されていても、湯からの浮力の影響を受け浮き上がることを防止することができる。
【００２４】
(７)本発明において、別の好ましい実施態様では、前記第二の着座部は、前記浴槽の長手方向の他端部に回転可能に設けられ、前記搬送車入浴時には前記浴槽の後方側に回転され、前記直接入浴時には前記浴槽の他端部上に設置される。
【００２５】
この実施態様の構成によれば、第二の着座部を回転させるだけで、簡単に直接入浴と搬送車入浴の切り替えを行うことができ、取り外した場合の場所もとらなくてすむ。
【発明の効果】
【００２６】
本発明によれば、一般家庭内で用いられる浴槽と外観を近くすることができる。また、直接入浴を行う入浴者は、浴槽の長手方向の一端部または他端部のどちら側からでも着座して浴槽内に移動することができる。
【図面の簡単な説明】
【００２７】
【図１】本発明の実施形態に係る入浴装置の全体斜視図である。
【図２】入浴装置の全体平面図である。
【図３】浴槽に搬送車が連結固定された斜視図である。
【図４】浴槽の載置部と台車固定部の斜視図である。
【図５】浴槽の台車固定部と係合部材の係合用端部の平面図である。
【図６Ａ】台車部が台車固定部に連結されていない状態の浴槽の台車固定部における第一の移動阻止機構部の断面図である。
【図６Ｂ】台車部が台車固定部に連結された状態の浴槽の台車固定部における第一の移動阻止機構部と台車部における第二の移動阻止機構部との断面図である。
【図７】浴槽の台車固定部の溝部分と台車部の係合部材の係合用端部との係合を示す斜視図である。
【図８】第一ないし第三の受け渡し部材を示すための斜視図である。
【図９Ａ】搭載部が移動された浴槽と、台車部とを示し、台車固定部が浴槽の一方の側壁に固定されている平面図である。
【図９Ｂ】搭載部が移動された浴槽と、台車部とを示し、台車固定部が浴槽の他方の側壁に固定されている平面図である。
【図１０】浴槽の移動機構がカバーで覆われていない状態の斜視図である。
【図１１】浴槽の移動機構がカバーで覆われている状態の斜視図である。
【図１２】図１１のカバーの斜視図である。
【図１３】図１１のカバーの側面図である。
【図１４】図１１のカバーの浮き上がり防止機構を示すための浴槽の正面断面図である。
【図１５】浴槽の移動機構の斜視図である。
【図１６】移動機構下降前の浴槽を示す斜視図である。
【図１７】移動機構下降途中の浴槽の斜視図である。
【図１８】移動機構下降後の浴槽の斜視図である。
【図１９Ａ】台車固定部の一部と第二の移動阻止機構部と台車部の一部を示す斜視図である。
【図１９Ｂ】搭載部が載置部上の第三の所定位置でロックされた状態の断面図である。
【図１９Ｃ】搭載部が載置部上の第四の所定位置でロックされた状態の断面図である。
【図２０】搭載部の背面図である。
【図２１】操作レバーにより搭載部が台車部にロックされている状態の側面断面図である。
【図２２】操作レバーの操作で搭載部が台車部からロック解除された状態を示す側面断面図である。
【図２３】操作ペダル周辺機構の図示のため台車部と浴槽との正面からの断面図である。
【図２４】台車部の第一の空間に下腿支持部を収納し、当該空間を入浴者の起立動作の足元スペースとして利用している状態を示す側面図である。
【発明を実施するための形態】
【００２８】
以下、添付した図面を参照して、本発明の実施形態に係る入浴装置を説明する。
【００２９】
図１ないし図８を参照して、入浴装置１は、浴槽２と、搬送車３とを備える。本明細書では、浴槽２の長手方向を前後方向と言い、これに直交する方向を左右方向と言う。
【００３０】
図１に示すように、浴槽２は、内部に入浴用凹部が形成されるよう前壁と後壁と両側壁とで囲まれその外形が平面視矩形形状のもので、両側壁の長手方向一端側における前壁側の両角部の縁は、直接入浴を行う入浴者が着座可能な第一の着座部４となっている。浴槽２の一方の側壁の長手方向他端側の上端部に、搬送車３を浴槽２に連結固定(ドッキング)するための台車固定部５が設けられている。台車固定部５は、浴槽２の両側壁のうちの一方の側壁の上端部に設けられているが、これに限定されず、浴槽２の側壁の外側面上方の所定の範囲内に設けてもよい。
【００３１】
図４に示すように、台車固定部５は浴槽２の側壁の外側面の下部足元から外側方に突出していていないので、直接入浴する際に、台車固定部５が入浴者やその入浴介助者の邪魔になったり、あるいは台車固定部５が体に接触する等して入浴者や入浴介助者が怪我をしたりする虞がなくなる。
【００３２】
また、台車固定部５が浴室床面より高い位置にあるので浴室床面の清掃が容易になり、浴室を清潔に保てると共に、浴室内に配置した装置全体の機械的な印象が和らぎ家庭的な浴槽の印象を入浴者に与えることができる。
【００３３】
図１に示すように、浴槽２には、入浴者を浴槽２内で移動(昇降)させる移動機構６が付設されている。移動機構６は、載置部７と、リンク機構８とを備える。
【００３４】
図１および図３に示すように、搬送車３は、台車部９と、台車部９から分離可能な搭載部１０とを具備する。台車部９は、複数のフレーム部材１１と、複数の車輪１２と、操作ペダル１４等を備える。
【００３５】
台車部９には、浴槽２側の台車固定部５に係合する係合部材１５が設けられている。
【００３６】
図８に示すように、係合部材１５は、パイプ材からなるフレーム枠１５ａで平面視矩形枠状に構成され、一端側が軸支されて他端側は台車固定部５と係合する係合用端部１５ｂとなり、一端側を回動中心として係合用端部１５ｂを含む他端側はバネ部材で下方向に付勢されている。
【００３７】
図１に示すように、搭載部１０は、入浴者が着座できる座部１０ａと、入浴者が背凭れできる背凭れ部１０ｂと、入浴者の下腿を支持する下腿支持部１０ｃと、を備える。
【００３８】
浴槽２には移動機構６を覆うためのカバー１６が開閉可能に設けられている。図１ではカバー１６は開状態になって移動機構６を覆っていない状態で示されている。
【００３９】
図４に示すように、浴槽２側の載置部７は、浴槽２の後壁に沿って左右方向に平行に対向する一対のレール部分７ａを備えて、浴槽２と搬送車３との間で搭載部１０を受け渡す第一の受け渡し部材を構成する。
【００４０】
台車固定部５は、傾斜部分５ａと、本体部分５ｂと、傾斜部分５ａの外周縁と本体部分５ｂの内周縁との間の溝部分５ｃと、を有する。溝部分５ｃは、係合部材１５の係合用端部１５ｂが勘合可能な形状と溝幅とを有する。係合用端部１５ｂの角部はＲ形状となっているので、係合用端部１５ｂに入浴者や入浴介助者の身体に接触しても怪我をする虞がない。また、係合用端部１５ｂの溝部分５ｃへの嵌合をスムーズに行うことができる。
【００４１】
図３に示すように、台車固定部５は、前後方向両側に左右方向において平行な一対の段差部分５ｄをレール部分として有する。この一対の段差部分５ｄの対向間隔は載置部７が備える前記一対のレール部分７ａの対向間隔に対応している。台車固定部５は、段差部分５ｄをレール部分として具備することで、浴槽２側と搬送車３側との間で搭載部１０を受け渡す第三の受け渡し部材を構成する。
【００４２】
台車固定部５には、台車部９が台車固定部５により浴槽２に連結固定されているとき以外は、移動機構６上での搭載部１０の左右方向の移動を阻止する第一の移動阻止機構部１７が設けられている。
【００４３】
図６Ａ、図６Ｂに示すように、第一の移動阻止機構部１７は、台車固定部５から上端部が突出退避可能なロック部材１７ａと、このロック部材１７ａの下端側と一体で他端側が軸１７ｄで軸支されているロック解除部材１７ｂ(ロック部材１７ａとは一体物)と、これらを時計回り方向(ロック方向)に付勢するバネ部材１７ｃとを備え、ロック解除部材１７ｂは、台車固定部５の溝部分５ｃに形成された貫通穴５ｅから突出または退避可能であり、ロック部材１７ａは台車固定部５の本体部分５ｂに形成された貫通穴５ｆから突出または退避可能である。
【００４４】
ロック部材１７ａは、係合部材１５の係合用端部１５ｂが台車固定部５の溝部分５ｃに入り込んでいない時は、バネ部材１７ｃの付勢で台車固定部５から突出し、ロック解除部材１７ｂは、溝部分５ｃから突出している。この突出状態で、第一の移動阻止機構部１７は、搬送車３側と浴槽２側との間での搭載部１０の移動を阻止する。
【００４５】
係合部材１５の係合用端部１５ｂが台車固定部５の溝部分５ｃに入り込むと、ロック解除部材１７ｂがバネ部材１７ｃの付勢に抗して押されて反時計回り方向に回動し溝部分５ｃ内に退避し、これと共にロック部材１７ａは台車固定部５内に退避する。その結果、第一の移動阻止機構部１７は、搬送車３側と浴槽２側との間での搭載部１０の移動を許容する。
【００４６】
搬送車３の台車部９には、第二の移動阻止機構部１８が設けられている。第二の移動阻止機構部１８は、当該台車部９が台車固定部５により浴槽２に連結固定されている時以外は、台車部９上での搭載部１０の移動を阻止(ロック状態)する。
【００４７】
第二の移動阻止機構部１８は、係合部材１５に設けられた軸１８ｃの周りに一体回転可能なロック解除部材１８ａと、これと一体のロック部材１８ｂとを具備し、これらはバネ部材１８ｄ（付勢部材）で反時計回り方向に付勢されている。ロック部材１８ｂは、バネ部材１８ｄの付勢で搭載部１０下面上に突出し該下面側の係合部１０ｄ（第一の係合部分）に係合すると、搭載部１０はロック部材１８ｂにより台車部９上で移動することを阻止(ロック)され、台車部９上から脱落することを防止される。
【００４８】
また、第二の移動阻止機構部１８は、図７に示すように、入浴者が片手で同時にこれら第二の移動阻止機構部１８を操作できない間隔で係合部材１５の幅方向に沿って複数（図７では２つ）設けられている。これにより、次の効果が得られる。すなわち、台車部９が斜め方向から誤って浴槽２に連結された場合、両第二の移動阻止機構部１８、１８は、時間的に前後して台車固定部５への係合を開始する。そのため、斜め連結を終えた状況では、先に台車固定部５への連結を開始した第二の移動阻止機構部１８は上述したロック解除を行ってしまう可能性があるものの、後から台車固定部５への連結を開始した第二の移動阻止機構部１８は、上述したロック解除が行われない。これにより、台車部９の斜め連結時における第二の移動阻止機構部１８のロック誤解除が防止される。
【００４９】
また、第二の移動阻止機構部１８は上記のように設けられているので、浴槽２に連結されていない場合に、入浴者の誤使用により、同時に全ての第二の移動阻止機構部１８、１８をロック解除されることが阻止され、台車部９上から搭載部１０が脱落することが防止される。
【００５０】
台車部９が浴槽２方向に押されると、台車部９側面から突出する係合部材１５の係合用端部１５ｂはバネ部材の付勢に抗して台車固定部５の傾斜部分５ａ上を昇っていって、台車固定部５の溝部分５ｃにバネ部材の付勢で入り込む。係合用端部１５ｂが溝部分５ｃに入ると台車部９は台車固定部５に連結固定され、第一の移動阻止機構部１７は搬送車３側から浴槽２側への搭載部１０の移動を許容すると共に、第二の移動阻止機構部１８のロック部材１８ｂが台車部９内に退避するので、第一の移動阻止機構部１７と第二の移動阻止機構部１８が共にロック解除状態となって搭載部１０は台車部９上から浴槽２側への移動が許容される。
【００５１】
図８に示すように、台車部９は、搬送車３側と浴槽２側との間で搭載部１０を受け渡すための第二の受け渡し部材として、左右方向平行に対向する一対のレール部材９ａを備える。この一対のレール部材９ａの前後方向の対向間隔は、前記した第一、第三の受け渡し部材である載置部７の一対のレール部材７ａ、台車固定部５の一対の段差部分(レール部)５ｄそれぞれの対向間隔に対応している。
【００５２】
第一ないし第三の受け渡し部材により、搬送車３側と浴槽２側との間で搭載部１０の受け渡しが可能で搭載部１０は台車部９と移動機構６との間を安全に往復移動することができる。
【００５３】
台車固定部５と第一の移動阻止機構部１７は、平面視で左右方向において対称に形成されており、これにより、図９Ａ、図９Ｂを参照して後述するように浴槽２の左右側壁のいずれにおいても、台車固定部５を浴槽２に取着できる。
【００５４】
図５に示すように、台車固定部５の溝部分５ｃは、前後方向に直線状の第一の溝部分５ｃ１と、第一の溝部分５ｃ１の前後方向両側のＲ状の第二の溝部分５ｃ２とからなる。また、台車部９の係合部材１５の係合用端部１５ｂは、第一の溝部分５ｃ１に対応する直線状の第一の係合用端部１５ｂ１と、第二の溝部分５ｃ２に対応してＲ状で第一の係合用端部１５ｂ１両側の第二の係合用端部１５ｂ２とからなる。
【００５５】
第一の溝部分５ｃ１と第一の係合用端部１５ｂ１は共に直線状であるので、第一の溝部分５ｃ１に第一の係合用端部１５ｂ１が係合すると、搬送車３は、浴槽２の外側面に平行に位置決めされる。
【００５６】
つまり、台車固定部５と台車部９の係合部材１５は、入浴のため浴槽２へ搭載部１０を移動させる際に、浴槽２に対して搬送車３を特定の位置に位置決めする位置決め手段を構成する。
【００５７】
この位置決め手段により、浴槽２に対して搬送車３は前記特定の位置に位置決めされる。この特定の位置は、搬送車３の台車部９を浴槽２に連結固定する位置である。
【００５８】
上記位置決め手段は、搬送車３の台車部９と浴槽２との連結位置を位置決めしてこれらを連結固定することができ、前記特定の位置で浴槽２に台車部９を固定可能とする連結機構を構成する。
【００５９】
ここで、図９Ａに示すように、台車部９は、搭載部１０の中央断面Ｃ１（本実施例では平面視で搭載部１０に搭載した入浴者の正中面に一致）と浴室床面とに垂直な面を基準面９ｃ１として、または、前記特定の位置に位置決めされた状態で、浴槽２の側壁の一端に近接する台車部９の一端を通る垂線を基準線９ｃ２として対称に形成されている。
【００６０】
そのため、台車固定部５が浴槽２の左右どちらの側壁の一端に設けられても、前記位置決め手段を組み替える必要なく、操作ペダル１４を組み替えるのみの軽微な作業で、浴槽２の台車固定部５に搬送車３の台車部９を位置決めして連結固定することができる。
【００６１】
その結果、前記位置決めのための各種の煩わしい位置調整作業が不要となるうえ、右仕様、左仕様といった機種の入浴装置を個々に製造販売する手間がなくなり、安価な入浴装置を提供することができる。また、１つの機種の入浴装置で多様な浴室内レイアウトに対応することができる。
【００６２】
この場合、前記基準線９ｃ２は、搭載部１０が浴槽２内に前記第一ないし第三の受け渡し部材により、直線軌道に沿って移動される方向と平行である。また、搭載部１０は、その中心線Ｃ２（平面視で搭載部１０に搭載した入浴者の正中線に一致）が基準線９ｃ２に対して垂直となるように台車部９に載置される。これにより、搭載部１０を回転させて浴槽２内に移動させる回転式の構成と比較して、台車部９を浴槽２の左右どちらからでも台車部９上と浴槽２内で同一の直線軌道に沿って最短距離で搭載部１０を移動でき、移動介助負担が軽減できる。
【００６３】
また、浴槽２内に入浴者を移動させる方向のまま、浴槽２の左右どちらからでも搭載部１０を方向転換することなく、浴槽２内に移動でき、搭載部１０の移動時の入浴者の恐怖感を軽減できる。
【００６４】
また、台車部９を浴槽２に固定しない機種の入浴装置と比較して、台車部９が浴槽２に確実に位置決めされて前記連結機構で連結固定されるので、搭載部１０を往復移動する途中で台車部９が不用意に動いて搭載部１０が台車部９や浴槽２から転落する事故を防止することができる。
【００６５】
台車部９は、台車部９の前後方向において平行に対向する一対の第一のフレーム部材１１ａと、台車部９の左右方向において平行に対向する一対の第二のフレーム部材１１ｂと、第一のフレーム部材１１ａの前後方向端部それぞれの車輪１２と、第二のフレーム部材１１ｂ上のレール部材９ａ(第二の受け渡し部材)とを備えている。
【００６６】
ここで台車部９の前後方向は、台車部９上の搭載部１０に搭載されている入浴者の正面側が台車部９の前方向であり、台車部９上の搭載部１０に搭載されている入浴者の背面側が台車部９の後方向である。台車部９の左右方向は、台車部９の前後方向に直交する方向である。また、台車部９の前後方向および左右方向は、浴槽２の前後方向および左右方向とは独立したものであるが、図９Ａでは台車部９の前後左右方向と浴槽２の前後左右方向とは一致している。
【００６７】
そして、一対の第一のフレーム部材１１ａの左右方向の対向間には、入浴介助者が入浴者の入浴介助作業を行うために容易に踏み込むことができる第一の空間Ｓ１が前後方向両側に形成され、また、一対の第二のフレーム部材１１ｂの前後方向の対向間には、入浴介助者が搭載部１０を浴槽２の方向に容易に移動させることができるように踏み込むことができる第二の空間Ｓ２が形成されている。
【００６８】
一対の第一の空間Ｓ１のうち、前方向の空間Ｓ１´は搭載部１０の下腿支持部１０ｃの収納に利用することができる。これにより、前方向の空間Ｓ１´は踏み込みスペースとして空くので、入浴介助者は前方向の空間Ｓ１´に踏み込んで入浴者の移乗介助作業ができ、その作業負担が軽減され、また、図２４に示すように、入浴者の起立動作の際の足元スペースとしても活用できる。
【００６９】
第二の空間Ｓ２は、台車部９の左右方向の中央を超えて浴槽２側に至る奥行きのある広い空間となっている。そのため、入浴介助者が搬送車３を浴槽２に固定操作し、次いで搭載部１０を台車部９の第二の受け渡し部材上から浴槽２側に移動させるとき、入浴介助者は、台車部９の第二の空間Ｓ２に足を踏み込んで搭載部１０の移動作業ができる。これにより入浴介助者は、入浴者を搭載部１０と共に浴槽２側に移乗させる介助作業の負担が軽減され、当該作業で腰などを痛めるリスクが低減される。
【００７０】
図９Ａでは台車固定部５は浴槽２の一方の側壁に固定されているが、台車部９は前後左右に対称的になっているので、図９Ｂに示すように、台車固定部５を浴槽２の他方の側壁に固定し、台車部９を浴槽２の他方の側壁に固定することができる。このように台車固定部５は浴槽２の左右側壁のどちら側に取着しても台車部９を浴槽２に連結固定できるので、浴槽２の様々なレイアウトに対応できる。
【００７１】
図１０ないし図１８を参照して、浴槽２側の移動機構６とカバー１６とを説明する。図１０は、搬送車入浴が行われる場合の浴槽２を示し、図１１は直接入浴が行われる場合の浴槽２を示している。
【００７２】
浴槽２は、平面視矩形形状に形成され、その長手方向の一端部には、前記したように、直接入浴を行う入浴者が着座可能な第一の着座部４を有する。移動機構６は、載置部７とリンク機構８とを有し、これらは、入浴者が直接入浴するときにカバー１６で覆われる。
【００７３】
移動機構６は、浴槽２外部に併設されず、かつ、直接入浴が行われる時は、カバー１６で覆われるので、浴槽２の外観は、一般家庭で使用される浴槽２の外観に近くなっている。そのため、直接入浴を行う入浴者は、一般家庭と同様の入浴雰囲気で第一の着座部４および第二の着座部(後述)のどちらにも着座して入浴することができる。これにより、体の右半分又は左半分に麻痺を有する者が、麻痺を有している方の体を第一の着座部４又は第二の着座部に乗せることができると共に麻痺していない方の体を介助者によって介助してもらうことができるので、安全な入浴を実現することができる。
【００７４】
また、直接入浴を行う入浴者は、第一の着座部４に着座して浴槽２内に移動したり、移動機構６に邪魔されることなく前記第二の着座部に着座して浴槽２内に移動したりして、直接入浴することができる。
【００７５】
カバー１６は、図１２および図１３に示すように、移動機構６の載置部７を覆って保護する第一の保護部分１６ａと、移動機構６のリンク機構８を覆って保護する第二の保護部分１６ｂと、を有する。
【００７６】
第一の保護部分１６ａは、直接入浴を行う入浴者が着座可能に浴槽２の他端部上を覆う平板形状を有する。第一の保護部分１６ａには、直接入浴を行う入浴者が、浴槽２内へ移動するときに、把持できる把持部分１６ｃが設けられている。第一の保護部分１６ａは、移動機構６を覆った状態で直接入浴を行う入浴者が着座する前記第二の着座部を構成する。
【００７７】
第二の保護部分１６ｂは浴槽２内に臨むように第一の保護部分１６ａに対して下方に立設され、直接入浴を行う入浴者が浴槽２内で背凭れ可能になっている。第二の保護部分１６ｂには、直接入浴を行う入浴者を浴槽２内で固定するためのベルト等の固定部材が取り付け可能な固定用穴１６ｄが設けられている。この固定用穴１６ｄは、少なくとも左右一対、必要に応じて二対以上の固定用穴１６ｄが設けられている。
【００７８】
カバー１６は、図１４で示すカバー浮き上がり防止機構１９でスライド可能に浴槽２または載置部７(浴槽側)に固定されて当該カバー１６が浴槽２内から浮き上がるのを防止できるようになっている。
【００７９】
図１４では、カバー１６の第一の保護部分１６ａは断面で示されている。横Ｌ形状を有する連結部１９ａが、第一の保護部分１６ａ下部に左右方向一対に設けられている。またＬ形状を有する連結部１９ｂが、載置部７に左右方向一対に設けられている。この連結部１９ｂは、載置部７に設けられることに限られず、浴槽２に設けられてもよい。カバー１６は左右方向にスライド可能に取り付けられている。
【００８０】
カバー１６を左右方向一方へスライドさせると一方の連結部１９ａが一方の連結部１９ｂの下方に位置しこれらが上下方向で対向し、他方の連結部１９ａは他方の連結部１９ｂとは上下で対向しない。
【００８１】
カバー１６を左右方向の他方へスライドさせた場合も、上記と同様にして、他方の連結部１９ａと他方の連結部１９ｂとが上下方向で対向する。
【００８２】
これにより、カバー１６に浴槽２内の湯による浮力が作用しても、連結部１９ｂが連結部１９ａによって浮き上がることが阻止される。そのため、カバー１６が湯による浮力を受けても、カバー１６が浴槽２から浮き上がることを防止することができる。
【００８３】
カバー１６は、浴槽２に回転軸２５を介して前後方向に回転可能に取り付けられており、具体的には、このカバー１６は、浴槽２から取り外されることなく浴槽２後方に回転可能となっている。これにより、直接入浴するときは、カバー１６を浴槽２の前方向に回転して移動機構６を覆うように設置することができ、また、搬送車入浴するときは、カバー１６を浴槽２の後方向に倒して搬送車入浴の邪魔にならないようにできる。
【００８４】
浴槽２の移動機構６は、図１５に示すように、載置部７とリンク機構８とを備える。載置部７は、上述したように、搭載部１０を浴槽２側に案内する一対のレール部分７ａを第一の受け渡し部材として有する。
【００８５】
リンク機構８は、第一ないし第三のアーム部分８ａないし８ｃと、第一および第二の回転軸８ｄ，８ｅと、第一ないし第三の連結ピン(第二の連結ピン８ｆのみ図示)とを有する。第一および第二の回転軸８ｄ，８ｅは、浴槽２の凹部の側壁下方に設けられる。浴槽２の側壁内には、第一および第二の回転軸８ｄ，８ｅを回転駆動するモータ等が内蔵されている。第一のアーム部分８ａの一端は、第一の回転軸８ｄを中心に回動可能に設けられる。第一のアーム部分８ａの他端は、第一の連結ピンによって載置部７に取り付けられる。第二のアーム部分８ｂの一端および第三のアーム部分８ｃの一端は共に第二の回転軸８ｅを中心に回動可能に設けられる。第二のアーム部分８ｂの他端は第二の連結ピン８ｆによって、載置部７に取り付けられる。第三のアーム部分８ｃの他端は、第三の連結ピンによって載置部７に取り付けられる。
【００８６】
図１６ないし図１８は、リンク機構８によって回動されている載置部７の様子を示す。第一および第二の回転軸８ｄ，８ｅが回転すると、第一ないし第三のアーム部分８ａないし８ｃの他端は、載置部７を水平に保持した状態で、円弧状に回動する。具体的には、これら回転軸８ｄ，８ｅの回転によって、第一ないし第三のアーム部分８ａないし８ｃが反時計回りに回動して、初期状態において浴槽２の他端部付近に配置されている載置部７(図１６の状態)が、浴槽２の前方向へと移動されると共に浴槽２の下方へと移動される(図１７の状態)。さらにこれら回転軸８ｄ，８ｅが回転することによって第一ないし第三のアーム部分８ａないし８ｃが浴槽２の底部に略平行となるまで回動して、載置部７は最終的に浴槽２の底部へと移動される(図１８の状態)。このように載置部７が移動されることにより、搬送車入浴が行われる場合、入浴者は搬送車３の搭載部１０の座部に座った状態のままで入浴することができる。
【００８７】
直接入浴が行われる場合、載置部７はリンク機構８によって、浴槽２内から浴槽２の他端部へと円弧状に回動されて、載置部７が浴槽２内に取り残されて直接入浴の邪魔になることがなくなるので、浴槽２内を最大限に広く使用することができる。
【００８８】
また、カバー１６の第一の保護部分１６ａによって、載置部７が覆われて、この載置部７を外観上見えなくすることができると共に、直接入浴を行う入浴者はカバー１６の第一の保護部分１６ａを第二の着座部としてこの第一の保護部分１６ａに着座することができる。
【００８９】
また、カバー１６の第二の保護部分１６ｂによって、リンク機構８を外観上見えなくすることができると共に直接入浴を行う入浴者が浴槽２内でカバー１６の第二の保護部分１６ｂに凭れ掛かって快適に入浴することができる。
【００９０】
さらに、直接入浴を行う入浴者が把持部１６ｃを把持して浴槽２へ移動するときの姿勢を安定させることができるので、安全に入浴を行うことができる。
【００９１】
さらに、カバー１６の第二の保護部分１６ｂの取り付け穴１６ｄに取り付けられた例えばベルト等の固定部材によって直接入浴を行う入浴者を浴槽２内で安全な姿勢に固定することができるので、直接入浴を行う入浴者の浴槽２内での水没事故を起こり難くすることができる。
【００９２】
さらにまた、カバー浮き上がり防止機構１９により、カバー１６が樹脂製の比較的軽量な素材で形成されていても、浴槽２内の浴湯からの浮力の影響を受けて、カバー１６が浮き上がることを防止することができる。さらにまた、カバー１６を浴槽２の前後方向に回転させるだけで、簡単に直接入浴と搬送車入浴との切り替えができ、カバー１６を取り外した場合の場所も取らなくて済む。
【００９３】
図１９Ａないし図１９Ｃを参照して、搭載部１０はその移動方向上の異なる位置に、台車固定部５の第一の移動阻止機構部１７のロック部材１７ａまたは第二の移動阻止機構部１８のロック部材１８ｂと係合可能な三つの第一〜第三の係合部分を有する。ここで、第一の係合部分は、搭載部１０の下面の係合部１０ｄであり、第二の係合部分は、搭載部１０下部の係合用穴部１０ｅであり、第三の係合部分は、搭載部１０下部の係合用穴部１０ｆである。なお、第一〜第三の係合部分の形状は上記に限定されず、凹部や穴部、その他であってもよく、その組合せは任意である。
【００９４】
搭載部１０はこれら係合部分１０ｄ，１０ｅ，１０ｆを有することにより、搭載部１０が台車部９又は載置部７から誤って転落することがないように、その移動方向上の異なる第一〜第四の所定位置でロックすることができる。ここで、第一の所定位置は、台車部９上で搭載部１０がロック部材１８ｂと係合部１０ｄでロックされる位置であり、第二の所定位置は、台車部９上で搭載部１０がロック部材１８ｂと係合用穴部１０ｅでロックされる位置である。また、第三の所定位置は、載置部７上で搭載部１０がロック部材１７ａと係合部１０ｄでロックされる位置であり、第四の所定位置は、載置部７上で搭載部１０がロック部材１７ａと係合用穴部１０ｆでロックされる位置である。
【００９５】
搭載部１０が台車部９上を移動する際には、第二の移動阻止機構部１８のロック部材１８ｂが係合部１０ｄと係合すると、搭載部１０が第一の所定位置から移動することを阻止(第一のロック状態)される。また、第二の移動阻止機構部１８のロック部材１８ｂが係合用穴部１０ｅと係合すると、搭載部１０が第二の所定位置から移動することを阻止(第二のロック状態)される。
【００９６】
このように第二の移動阻止機構部１８は、ロック部材１８ｂが台車部９から突出して搭載部１０の係合部１０ｄに係合して搭載部１０が台車部９から転落することを第一のロック状態で阻止する。しかしながら、誤操作により、ロック部材１８ｂが搭載部１０の係合部１０ｄに係合できず、そのため搭載部１０が、脱落方向に、第一の所定位置から第二の所定位置の距離分、移動しても、ロック部材１８ｂがバネ部材１８ｄの付勢力で係合用穴部１０ｅに入り込む。これにより、搭載部１０の移動を第二のロック状態になって阻止することができるので、搭載部１０の台車部９からの転落を防止することができる。
【００９７】
搭載部１０は、第二の所定位置から第一の所定位置へ容易に移動されることが可能である。この場合、ロック部材１８ｂの面取りされている上面１８ｅが、係合用穴部１０ｅの端面と接触してロック部材１８ｂが軸１８ｃを中心として時計回りに回転されて係合用穴部１０ｅから退避する。従って、ロック部材１８ｂと係合用穴部１０ｅとが互いに干渉しなくなるので、搭載部１０を第二の所定位置から第一の所定位置へ容易に戻すことができる。
【００９８】
また、搭載部７が第二の所定位置においては、搭載部７及びこれに搭載された入浴者の重心が偏ってしまって不安定な状態となっているので、上記のように搭載部７が第一の所定位置へ戻されることにより、搭載部７および入浴者の態勢を安定化して入浴者の安全を確保することができる。
【００９９】
搭載部１０が載置部７上を移動する際には、第一の移動阻止機構部１７のロック部材１７ａが係合部１０ｄと係合すると、搭載部１０が第三の所定位置から移動することを阻止(第三のロック状態)される。また、第一の移動阻止機構部１７のロック部材１７ａが係合用穴部１０ｆと係合すると、搭載部１０が第四の所定位置から移動することを阻止(第四のロック状態)される。
【０１００】
このように第一の移動阻止機構部１７は、ロック部材１７ａが台車固定部５から突出して搭載部１０の係合部１０ｄに係合して搭載部１０が載置部７から転落することを第三のロック状態で阻止する。しかしながら、誤操作により、ロック部材１７ａが搭載部１０の係合部１０ｄに係合できず、そのため搭載部１０が、脱落方向に、第三の所定位置から第四の所定位置の距離分、移動しても、ロック部材１７ａがバネ部材１７ｃの付勢力で係合用穴部１０ｆに入り込む。これにより、搭載部１０の移動を第四のロック状態になって阻止することができるので、搭載部１０の載置部７からの転落を防止することができる。
【０１０１】
搭載部１０は、第四の所定位置から第三の所定位置へ容易に移動されることが可能である。この場合、ロック部材１７ａは、軸１７ｄを中心としてバネ部材１７ｃにより反時計回りにも回転可能なので、ロック部材１７ａが係合用穴部１０ｆの端面と接触して、このロック部材１７ａが反時計回りに回転されて係合用穴部１０ｆから退避する。従って、ロック部材１７ａと係合用穴部１０ｆとが互いに干渉しなくなるので、搭載部１０が第四の所定位置から第三の所定位置へ容易に戻すことができる。
【０１０２】
また、搭載部７が第四の所定位置においては、搭載部７及びこれに搭載された入浴者の重心が偏ってしまって不安定な状態となっているので、上記のように搭載部７が第三の所定位置へ戻されることにより、搭載部７および入浴者の態勢を安定化して入浴者の安全を確保することができる。
【０１０３】
第二の移動阻止機構部１８において、その重心は、軸１８ｃに位置するように設定されている。これにより、台車部９が例えば凹凸のある床面上を通過して上下方向に衝撃力を受けた場合でも、第二の移動機構部１８が軸１８ｃを中心として回転することを防止することができるので、ロック部材１８ｂが時計回りに回転してロック部材１８ｂと係合部１０ｄとの係合が外れることを防止することができる。
【０１０４】
第二の移動阻止機構部１８の重心の位置は上記に限定されることなく、例えばロック解除部材１８ａ側にあってもよい。この場合、第二の移動阻止機構部１８には軸１８ｃを中心として反時計回りに回転しようとする力が作用しているので、ロック部材１８ｂを時計回りに付勢しているバネ部材１８ｄが劣化してその付勢力が弱くなっていても、ロック部材１８ｂが時計回りに回転してロック部材１８ｂと係合部１０ｄとの係合が外れることを防止することができる。
【０１０５】
図２０ないし図２３を参照して、搬送車３の搭載部１０は、その背面側に図２０に示すように操作レバー２０を備えている。操作レバー２０は下方に付勢されていると共に、図２１および図２２に示すように下端部が軸２１ａで軸支されている。この軸２１ａには「く」の字状のロック部材２２の一端側２２ａも軸支されている。ロック部材２２はその中央部が軸２１ｂで軸支されている。ロック部材２２の他端側２２ｂは台車部９のレール部材９ａ側面の切欠凹部２３に係入可能になっている。
【０１０６】
操作レバー２０が操作されていない時は、図２１に示すように、ロック部材２２はレール部材９ａ側面の切欠凹部２３に係入していて、搭載部１０は台車部９上に固定され、レール部材９ａ上の移動を阻止されている(ロック状態)。
【０１０７】
操作レバー２０を上方に操作すると、図２２に示すように、ロック部材２２は軸２１ｂ回りに反時計回り方向に回動してレール部材９ａ側面の切欠凹部２３から脱するので、搭載部１０を台車部９から浴槽２側へ移動させることができる(ロック解除状態)。
【０１０８】
図２３は、台車部９と、浴槽２とを前方向正面から見た断面図であり、台車部９には、台車部９を浴槽２から分離する際に操作する左右対称形状の操作ペダル１４が設けられ、該操作ペダル１４にはペダル１４ａ、１４ｂを備える。係合部材１５の一端側は軸１５ｃで軸支され、他端側が係合用端部１５ｂとなっている。操作ペダル１４は、複数の回転軸２４ａないし２４ｆおよび複数の連結バー２５ａないし２５ｄからなる機構で係合部材１５に連結されている。左側のペダル１４ｂは台車部９を浴槽２から分離する操作には使用しないので、不図示の可動域制限手段により、踏み込みできないようになっている。尚、操作ペダル１４は左右対称形状なので、浴槽の他端側に台車部９を連結する際に、図９Ａにおいて後側に取り付けてある操作ペダル１４を、前側に組み替えてもよい。また、操作ペダルは上述の形状や構成に限定されることなく、組み替え不要な形状、構成、取付位置などを適宜変更してもよい。
【０１０９】
台車部９はロック部材１８ａとロック解除部材１８ｂ、とを備えた第二の移動阻止機構部１８を有する。浴槽２の台車固定部５にはロック部材１７ａとロック解除部材１７ｂとを備えた第一の移動阻止機構部１７が設けられている。
【０１１０】
入浴者を浴槽２に入浴させるため、搬送車を浴槽２に近接し台車固定部５で台車部９を浴槽２に連結固定する。台車部９を浴槽２に連結すると、第一の移動阻止機構部１７と第二の移動阻止機構部１８のロックが解除されるので、台車部９上から搭載部１０を浴槽２側に移動させる。移動が完了した後、必要に応じ、ペダル１４ａを踏み込んで台車部９を浴槽２から分離してもよい。そして、図２３は入浴が終了したので台車部９が浴槽２側に近接して第一の移動阻止機構部１７および第二の移動阻止機構部１８によるロックが解除される直前の状態を示している。
【０１１１】
台車部９が浴槽２に連結されると、浴槽２の載置部７上の搭載部１０は第一の移動阻止機構部１７および第二の移動阻止機構部１８によるロックが解除されて浴槽２から台車部９への移動ができるようになるので、搭載部１０を浴槽２側から台車部９側へ移動させる。
【０１１２】
この移動が終了すると操作ペダル１４ａを踏み込んで台車部９を浴槽２側から分離すると、第二の移動阻止機構部１８で搭載部１０は台車部９上にロックされ、入浴介助者は、入浴が終了した入浴者を搬送することができる。
【符号の説明】
【０１１３】
１  入浴装置
２  浴槽
３  搬送車
４  第一の着座部
５  台車固定部
５ａ  傾斜部分
５ｂ  本体部分
５ｃ  溝部分
５ｄ  段差部分
６  移動機構
７  載置部
７ａ  レール部分
８  リンク機構
８ａ、８ｂ、８ｃ  アーム部分
８ｄ，８ｅ  回転軸
８ｆ  第二の連結ピン
９  台車部
９ａ  レール部材
１０    搭載部
１０ｄ  係合部（第一の係合部分）
１０ｅ  係合用穴部（第二の係合部分）
１０ｆ  係合用穴部（第三の係合部分）
１１  フレーム部材
１１ａ  第一のフレーム部材
１１ｂ  第二のフレーム部材
Ｓ１  第一の空間
Ｓ２  第二の空間
１２  車輪
１４  操作ペダル
１５  係合部材
１６  カバー
１６ａ  第一の保護部分
１６ｂ  第二の保護部分
１６ｃ  把持部分
１６ｄ  固定用穴
１７  第一の移動阻止機構部
１８  第二の移動阻止機構部
１９  カバー浮き上がり防止機構
２０  操作レバー
２１ａ，２１ｂ  軸
２２  ロック部材
２２ａ  ロック部材２２の一端側
２２ｂ  ロック部材２２の他端側
２３    レール部材９ａの凹部
【図１】
2019111429.tif 000003
【図２】
2019111429.tif 000004
【図３】
2019111429.tif 000005
【図４】
2019111429.tif 000006
【図５】
2019111429.tif 000007
【図６Ａ】
2019111429.tif 000008
【図６Ｂ】
2019111429.tif 000009
【図７】
2019111429.tif 000010
【図８】
2019111429.tif 000011
【図９Ａ】
2019111429.tif 000012
【図９Ｂ】
2019111429.tif 000013
【図１０】
2019111429.tif 000014
【図１１】
2019111429.tif 000015
【図１２】
2019111429.tif 000016
【図１３】
2019111429.tif 000017
【図１４】
2019111429.tif 000018
【図１５】
2019111429.tif 000019
【図１６】
2019111429.tif 000020
【図１７】
2019111429.tif 000021
【図１８】
2019111429.tif 000022
【図１９Ａ】
2019111429.tif 000023
【図１９Ｂ】
2019111429.tif 000024
【図１９Ｃ】
2019111429.tif 000025
【図２０】
2019111429.tif 000026
【図２１】
2019111429.tif 000027
【図２２】
2019111429.tif 000028
【図２３】
2019111429.tif 000029
【図２４】
2019111429.tif 000030